(57)【特許請求の範囲】
【請求項１】
会員と、これを管理する管理者からなる会員組織の情報管理システムであって、各会員の氏名、住所等の個別情報が記録された第一のICタグと、会員に共通のWeb情報が記録された第二のICタグとを用い、これら両タグを重ね合わせて、その上から一つのリーダ／ライタで同時に両ICタグの情報を読みとることにより、目的とするWebサイトに導かれるようにしたことを特徴とする情報管理システム。
【請求項２】
リーダ／ライタとしてスマートフォンを用いる請求項１に記載の情報管理システム。
【請求項３】
第二のICタグを貼り付けたハガキ、絵葉書、ポストカード、写真を透明シートで挟める形状としたマウスパッド形状のフォルダからなる保持部材に対し、第一のICタグを保持する請求項１または2に記載の情報管理システム。
【発明の詳細な説明】
【技術分野】
【０００１】  この発明は、２個のＩＣタグ（ＲＦＩＤ）、電子タグ、ＰＦタグ等とも呼ばれる）を用いた情報システムに関するものである。【０００２】  ＩＣタグは、交通系カードや銀行系カードあるいは商品管理や情報管理等にすでにひろく普及している。これは、リーダライタやリーダライタ機能付きの携帯電話機やスマートフォン（以下、単に「リーダ」という）等の情報通信機器をＩＣタグにかざすだけで、ＩＣタグに書き込まれているＷｅｂアドレス等のデータを読み取りあるいはデータを書き込むものである。【０００３】  例えば、Ｗｅｂアドレスを読み取って特定のパソコンに誘導し、ホームページや画像を見ることができる。写真や絵ハガキも同様にＩＣタグを介して画像化してみることができる。今ではパソコンのデイスプレイだけではなくスマートフォン（以下、スマホ）やタブレットからも同じように利用可能になっている。【０００４】  一方、ＩＣタグは貼り付けてある書類を紛失した場合、あるいは盗難や廃棄時にＩＣタグに記録しているデータを他人に見られるという懸念がある。もちろん、ＩＣタグの特徴はセキュリティにすぐれ、パスワード設定も可能であるが、ガードの固いシステムはコスが高いばかりでなくせっかくの利便性を失う場合もある。簡易用途の場合、必要以上のガードは控えた方がよい。このためセキュリティ上の懸念は払拭できない。【０００５】  これを防止するため、電子割符が提案されている（特許文献１）。このものはサーバに保存される機密情報を二つに割って保護するものであるが、その分だけ複雑である。【０００６】  このほかにも、他人からアクセスされるサーバに保持される機密情報を効果的に保護する手段は種々提案されているが、ＩＣタグに書き込んだ情報を簡単に保護する点で満足できるようなものはなかった。
【先行技術文献】
【特許文献】
【０００７】
【特許文献１】  特開２００６−５３７１４号公報
【発明が解決しようとする課題】
【０００８】  上記のとおりＩＣタグは物品や情報の管理に便利なものであるが、２個のＩＣタグを一まとめとして一つの情報管理に利用することは行われていなかった。この発明は、２個のＩＣタグを一まとめとして情報の管理に利用することにより、さらに便利で、かつ廃棄、紛失、盗難したときの安全性を向上することができるようにすることを課題としている。
【図面の簡単な説明】
【図１】  フォルダ式保持装置の説明図である。
【図２】  綴じた状態の説明図である。
【図３】  その側面図（ａ）、および斜視図（ｂ）である。
【図４】  読み取ったアドレスの送信を表わす図である。
【図５】  ＩＣタグの説明図である。
【課題を解決するための手段】
【０００９】
上記課題を解決するため本発明は次のような構成を採用した。すなわち、本発明にかかる情報管理システムは、会員と、これを管理する管理者からなる会員組織の情報管理システムであって、各会員の氏名、住所等の個別情報が記録された第一のICタグと、会員に共通のWeb情報が記録された第二のICタグとを用い、これら両タグを重ね合わせて、その上から一つのリーダ／ライタで同時に両ICタグの情報を読みとることにより、目的とするWebサイトに導かれるようにしたことを特徴としている。リーダ／ライタとしては、スマートフォンを用いるのが好ましい。この場合、会員としては、あるグループ、学校その他の会員が考えられる。
【００１０】  ２個のＩＣタグのうち１個は所定の保持部材に保持されており、他の１個のＩＣタグをその上から重ね合わせてリーダで読み取るようにするのが好ましい。また、ＩＣタグを保持する保持部材が、紙またはプラスチック材料で作られたマウスパッドもしくはマウスパッド形状のフォルダであるのが好ましい。
【発明の効果】
【００１１】  本発明は、２個のＩＣタグを用いて特定のアドレスに導き情報や画像を得るものであるから、個々のＩＣタグでは得られない第三の情報や画像を見ることが出来る。２個のＩＣタグを重ねた場合にのみ所望の情報が得られ、それ以外では見られないので、第二のＩＣタグを単独処分する時に安全に廃棄出来る。
【００１２】  ＩＣタグは個人を特定する優れた機能がある反面二次元バーコードのように大量印刷が出来ない欠点がある。即ち、何万人抱えているあるネットショップ店でＩＣタグ入りマウスパッドもしくはＩＣタグ入りマウスパッド形状似のフォルダ（以下、マウスパッドという）を採用して会員に配布した場合、会員個別データの書き込み作業は時間とコストを費やす。この対策として本発明を利用すれば個人情報を含むＩＣタグの書き込みにはそれなりの時間と手間がかかるとしても、一旦会員個人情報が記録されたＩＣタグはそのままで、他の情報を記録したＩＣタグのみを印刷して配布することとすれば大幅に手間を情略することができる。以下、このマウスパッド側に使用するＩＣタグを第一のタグと称する。
【００１３】  つまり、会報や月報などの頻繁な案内は、そのためのＩＣタグ（第二のＩＣタグ）を添付されたハガキ等が届いたときに、このＩＣタグの添付されたハガキをマウスパッドの第一のＩＣタグに重ねあわせて、リーダ（リーダ／ライターもしくはリーダ／ライター機能付きスマホ等）の情報通信機器をタッチすることにより、第一のＩＣタグの個人情報と第二のＩＣタグの会員共通案内情報による特別なＷｅｂに誘導可能となる。
【００１４】  第二のＩＣタグを貼り付けたダイレクトメールやハガキ等は短期間で廃棄される用途が普通であるから、廃棄時にも個人情報が漏えいする事はあり得ない。即ち、第二のＩＣタグによりセキュリティを高める効果と大量生産によるコストダウン効果、郵送誤配トラブル防止効果、盗難、紛失、廃棄時の安心効果が期待出来る。
【００１５】  マウスパッドは、マウス動作をスムースにするための補助ツールであったがこのＩＣタグを利用する事により新たに情報ツールとして付加価値を生む。情報ツールは当然外観マウスパッドでもマウスの使用しないタブレットやノートパソコン、あるいはスマホも利用対象商品となる。名称はマウスパッドでもマウスを使用しないマウスパッドとして新たな市場を生む需要拡大効果が期待出来る。
【発明を実施するための形態】
【００１６】  以下、本発明の好ましい実施形態について具体的に説明する。図１以下の各図は本発明の実施形態を表わすもので、第一のＩＣタグ１を保持するフォルダ３を備えている。フォルダ３は１辺を綴じ合わせてなるプラスチックの透明シート５と台紙（例えば紙またはプラスチック製）４で作られている。
【００１７】  フォルダ３には第一のＩＣタグ１を適当な手段で取り付けてある。取り付け方法は、台紙の表に粘着で固定してもよく、薄いシートを用いて挟みこんでもかまわない。固定方法は問わない。また、第二のＩＣタグ２は、ハガキ６などに貼り付けられている。ハガキ６は、フォルダの透明シート５と台紙４の中に挟み込む。正常に挟み込んだ場合は第一のＩＣタグ１と第二のＩＣ２タグは重なり合うような位置設計（例えば目印）となっている。また、挟めるフォルダの透明シート部にＩＣタグのタッチマーク７を目印として印刷等していれば、なお取り付け位置は分かりやすくなる。
【００１８】  そしてその上からリーダ１０を押し当てて第一、第二のＩＣタグの情報を読み込む。すると両タグに記録されているＵＲＬを認識して第三のＷｅｂに誘導する（図３参照）。
【００１９】  この実施態様では第一のＩＣタグ１がマウスパッドに埋設保持されているが、台紙表面に固着しておいてもよい。図示例では、第一のＩＣタグとマウスパッドが一体となっていて、第二のＩＣタグ２を取り付けたハガキは当該マウスパッドに挟み込むようになっている。この場合、第一のＩＣタグと第二のＩＣタグが重なるように挟み込む必要がある。
【００２０】  そして、重ね合わせた二枚のＩＣタグの上からリーダをかざして両方のＩＣタグの記録内容を読み取ればよい。二枚のＩＣタグは、多少位置ずれしていても電波や磁界領域内であればうまく読み取ることが出来るのが普通である。
【００２１】  ハガキを挟み込むためにマウスパッドを構成する天面シートは透明ないし半透明であるのが好ましい。フォルダやマウスパッドを構成する素材は紙以外にプラスチックのポリエチレン、ポリプロピレン、ペット、ビニール等々も適している。
【００２２】  ＩＣタグを内蔵している挟めるマウスパッドは無地でも印刷でもどちらでも良い。また、ＩＣタグの数は一般的には１個であるが、場所を変えて複数個使用しても構わない。
【００２３】  マウスパッドは一般的に机で使用する場合滑り止め加工されているが、本発明品はマウスパッド機能よりも情報処理機能を主目的としているため滑り止め素材や方法は問題としない。
【００２４】  挟めるＩＣタグ入りマウスパッドに取り付けてある第一のＩＣタグ１およびハガキ側に取り付けてある第二のＩＣタグ２は個々では反応させないことも可能であるが、１個の場合は一般ネット公開されているＷｅｂに誘導も可能である。しかし、２個のＩＣタグのデータを検知した場合し、予め管理者が設定している第三のＷｅｂに誘導する。
【００２５】  ２個のＩＣタグを検知してＷｅｂに誘導するプログラムは、既存のプログラムで作成が可能である。２個のＩＣタグには管理者のアドレスが書き込まれて単純に管理者のパソコンに誘導され、そこからある条件が揃えば再誘導されるものであり特に技術的問題は無いため説明は省略する。
【００２６】  例えば、挟めるＩＣタグ入りマウスパッド側のＩＣタグを利用者の個人認識用ＩＣタグとすれば、ハガキ側のＩＣタグは運営者プログラムに誘導用のＩＣタグになる。管理者は２個のデータを確認すれば予め登録されたＷｅｂに自動的に誘導する事になる。ハガキ側は短期間、あるいは有効期限設定で頻繁に廃棄するようになるが、ハガキ側のＩＣタグデータには個人情報は書き込みされていない。
【００２７】  即ち、挟めるＩＣタグ入りマウスパッドは顧客個人情報であり、ハガキ側のＩＣタグは会員共通情報になる。第三のＷｅｂ誘導先はハガキに記載デザインや写真に対応したコンテンツになる。例えば、ハガキが子犬写真であればはがきのＩＣ単独でタッチした場合は可愛い子犬が画面に現れる。しかし、２枚のＩＣタグを上下に重ねてタッチすると、愛犬家専用の情報交換ページや会報につながる。
【００２８】  観光土産の場合は京都観光で購入した挟めるＩＣタグ入りマウスパッドと清水寺、東寺、金閣寺、嵐山の絵葉書セットを購入したとすると、挟めるＩＣタグ入りマウスパッドに清水寺カードを挟んでタッチするとパソコン、スマホ、もしくはタブレットに清水寺の通常画像が現れる。挟めるＩＣタグ入りマウスパッドに挟んでタッチすれば清水寺の内部が閲覧できる。ＩＣタグ入りマウスパッド１枚に対して絵葉書は複数枚可能になる。したがって、他の用途、例えば料理レシピーや学校教材の配布、あるいは商店街組合が周辺の顧客にマウスパッドを配布して商店街組合の個人商店が特売品の案内はがきの配布をおこなうなど、特定範囲限定のＷｅｂ案内も可能となる。
【００２９】  なお、ＩＣタグの利用にはリーダが必要になるが携帯電話、スマホ、タブレットにはリーダ機能付き機種が既に普及している。パソコンでの利用には専用リーダが必要になるが既に市販されている。
【００３０】  リーダが複数のＩＣタグのデータを感知した場合、個別に処理をする機能にアンチ・コリジョン機能がある。本発明はアンチ・コリジョン機能を利用するものであるがアンチ・コリジョン機能はリーダ側に依存するものである。アンチ・コリジョン機能を利用しないでソフトウェアで利用する方法もある。アンチ・コリジョン機能を利用しない場合、通常のリーダを使った場合、現状ではＩＣタグを読み込んで次のＩＣタグの読み込みまでの処理間隔は約０．１秒程度で可能と言われている。これは開示されている技術のため詳細は省略するが２枚のＩＣタグを重ねて使用する場合アンチ・コリジョン機能を利用しなくてもソフトウェアで利用者が２枚のＩＣタグにリーダをかざした場合第三のＷｅｂに誘導可能である。
【００３１】  ２個のＩＣタグをリーダにかざした場合のソフトウェアの動作イメージについて説明すると、まず、第一のＩＣタグを認識しました。第二のＩＣタグをかざしてくださいと表示される。第二のＩＣタグをリーダにかざすとソフトウェアが、第二のＩＣタグを認識しました。登録サイトをオープンします。と表示される。そして登録サイトのＷｅｂが開く。この動作イメージは実際には利用者には表示ないで、かつ気がつかないで、処理は０．数秒間の流れの中で実行される。
【００３２】  つぎに、ファンクラブの管理に利用する場合は、会員を募集した主催者が各会の会員証としてＩＣタグ付きの挟めるマウスパッド（フォルダでもよい）を入会時に配布する。この第一のＩＣタグには会員名、住所その他、会員個別の必要事項が記録されている。
【００３３】  主催者は定期的に会報を発行して各会員に送付する。この会報にはＩＣタグ（第二のＩＣタグ）が添付されている。会報はハガキ形状であり郵送が可能である。これを受け取った各会員は、受け取った会報をすでに受け取っている挟めるマウスパッドに挟み込んでリーダで読みとる。
【００３４】  一方、主催者側は最近の情報、催しの案内等必要な事項を第三のＷｅｂに作成して置く。第二のＩＣタグ、即ち、ハガキ側のアドレスは全会員共通アドレスである。これにより、各会員は第一のＩＣタグの個人情報と第二のＩＣタグの共通情報の込み合わせにより自己のパソコンによって最近の情報を手軽に知ることが出来るのである。この方法によれば、ＩＣタグを貼り付けたはがきを送るだけでよいので経済的である。
【００３５】  また、大勢の会員に送るハガキは全て同じアドレスのためにＩＣタグの個別データ入力は不必要になり大量生産が可能となる。且つ、万が一誤送したばあいも心配なくなる。以上の説明では、ＩＣタグの受け渡しをハガキによる郵送に例にとって説明したが、受け渡し方法は他の方法でもよい。
【００３６】  以上の説明から明らかなように、本発明によれば、ＩＣタグを用いて所望の情報を手軽に配布することが可能となった。しかも、アクセスには、会員証となる第一のＩＣタグと、これとは別の第二のＩＣタグが必要であるから、セキュリティ上も安全である。
【符号の説明】１      第１のＩＣタグ
２      第２のＩＣタグ
３      フォルダ
５      透明シート
１０    リーダ
【図１】
0006603839.tif 000002
【図２】
0006603839.tif 000003
【図３】
0006603839.tif 000004
【図４】
0006603839.tif 000005
【図５】
0006603839.tif 000006